【手続補正書】
【提出日】平成30年8月28日(2018.8.28)
【手続補正１】
【補正対象書類名】明細書
【補正対象項目名】０００８
【補正方法】変更
【補正の内容】
【０００８】
【特許文献１】欧州特許第０６５２１７５号明細書
【特許文献２】国際公開第２００８／１４１６５８号
【特許文献３】欧州特許第０５３９０３２号明細書
【特許文献４】欧州特許第０３９６０５０号明細書
【特許文献５】国際公開第１９９８／０２５７６７号
【特許文献６】国際公開第１９９６／０３１１８０号
【手続補正２】
【補正対象書類名】明細書
【補正対象項目名】００２２
【補正方法】変更
【補正の内容】
【００２２】
【図１Ａ】図１Ａは、分離部分がウェブ上に再配置される様子を模式的に示す図である。
【図１Ｂ】図１Ｂは、分離部分がウェブ上に再配置される様子を模式的に示す図である。
【図２】図２は、本発明を実施するためのプロセススキームを示す図である。
【図３】図３は、本発明に係る装置を示す図である。
【図４】図４は、吸収性物品の製造への本発明の応用を模式的に示す図である。
【図５】図５は、本発明に係る、分離された部分が再配向された後にウェブと再結合される実施形態を模式的に示す図である。
【図６】図６は、本質的に全ての切片が使用される実施形態を模式的に示す図である。
【図７Ａ】図７Ａは、廃棄物を出さない設計の様々な実施態様を模式的に示す図である。
【図７Ｂ】図７Ｂは、廃棄物を出さない設計の様々な実施態様を模式的に示す図である。
【図７Ｃ】図７Ｃは、廃棄物を出さない設計の様々な実施態様を模式的に示す図である。
【図７Ｄ】図７Ｄは、廃棄物を出さない設計の様々な実施態様を模式的に示す図である。
【図７Ｅ】図７Ｅは、廃棄物を出さない設計の様々な実施態様を模式的に示す図である。
【図７Ｆ】図７Ｆは、廃棄物を出さない設計の様々な実施態様を模式的に示す図である。
【図８Ａ】図８Ａは、弾性及び非弾性のサブウェブを含むウェブ材による実施態様を模式的に示す図である。
【図８Ｂ】図８Ｂは、弾性及び非弾性のサブウェブを含むウェブ材による実施態様を模式的に示す図である。
【図９】図９は、本発明に係る使い捨て物品を模式的に示す斜視図である。
【図１０】図１０は、本発明に係る他の装置を示す図である。  全ての図面において、同一符号は同一又は対応する特徴を示す。
【手続補正３】
【補正対象書類名】特許請求の範囲
【補正対象項目名】全文
【補正方法】変更
【補正の内容】
【特許請求の範囲】
【請求項１】
移送方向に移されるウェブ材の分離された部分を再配置し、再結合するための方法であって、
１）ｅ．側縁を有するウェブ材、ｆ．前記ウェブ材の所定の領域において少なくとも部分的に分離された部分を形成するための分離ユニット、ｇ．前記ウェブ材の前記少なくとも部分的に分離された部分を移送するための移送ユニット、ｈ．前記ウェブ材のためのウェブ案内ユニット、及び、ｅ．結合ユニット、を用意する工程と、
２）第１のウェブ経路に沿って前記ウェブ材を前記分離ユニットに供給する工程と、
３）前記ウェブ材の前記少なくとも部分的に分離された部分が、連続している分離線、又は、横断方向に延出する接続及び前記分離線の終点を接続する折り目、によって囲まれていながら、前記ウェブ材がその側縁に沿って連続しているように前記連続している分離線を適用して、前記分離ユニットにおいて前記ウェブ材の所定の領域で少なくとも部分的に分離された部分の一連を作製する工程と、
４）前記分離ユニットから前記結合ユニットへ、前記連続しているウェブ経路の第２の部分に沿って、前記ウェブ案内ユニットによって前記ウェブ材を案内する工程と、
５）前記ウェブ経路の前記第２の部分とは異なる、分離された部分の経路に沿って、前記少なくとも部分的に分離された部分の少なくとも先頭部分を前記移送ユニットによって移送する工程と、
６）前記ウェブ材と前記分離された部分とを前記結合ユニットにおいて再結合する工程と、を含み、
前記分離された部分は、それらが分離された前記所定の領域に対して移送方向に移された位置に配置される、方法。
【請求項２】
前記少なくとも部分的に分離された部分は、完全に分離された部分であり、
前記方法は、
１ｆ）前記完全に分離された部分のための再配向ユニットを用意する工程と、
７）前記分離された部分の経路に沿って前記完全に分離された部分を再配向する工程と、
をさらに含む、請求項１に記載の方法。
【請求項３】
前記６）の工程において、前記分離された部分は、前記所定の領域に対して横断方向に移された位置で前記ウェブ材に結合される、請求項１又は２に記載の方法。
【請求項４】
前記少なくとも部分的に分離された部分とは、部分的に分離された部分であり、
前記５）の工程において、
前記部分的に分離された部分の前記先頭部分は、仮に前記移送ユニットに付着され、
前記分離された部分の末端でさらに折り目が形成され、
前記部分的に分離された部分は、前記移送ユニットから解放され、横断方向に延出する軸の周りで回転された後に前記ウェブ材上に配置される、請求項１に記載の方法。
【請求項５】
８）さらなる材料を用意する工程と、９）前記さらなる材料が前記分離された部分及び前記ウェブ材の一方又は両方と接続するように前記さらなる材料を前記分離された部分又は前記ウェブ材と結合する工程と、をさらに含む、請求項１乃至４の何れか１項に記載の方法。
【請求項６】
１ｇ）接続ユニットを用意する工程と、１０）前記分離された部分を前記ウェブに接続する工程と、をさらに含む請求項１乃至５の何れか１項に記載の方法。
【請求項７】
前記移送ユニット、前記分離ユニット、前記再配向ユニット、前記結合ユニット及び前記接続ユニットからなる群から選ばれる少なくとも２つのユニットは、単一のユニットである、請求項１乃至６の何れか１項に記載の方法。
【請求項８】
請求項１乃至７の何れか１項に記載の、移送方向に移されるウェブ材の分離された部分を再配置し、再結合する前記方法を含む、使い捨て吸収性製品を製造する方法。
【請求項９】
前記分離された部分は、使用中に腰部フープを形成するように適合された側部パネル片である、請求項８に記載の方法。
【請求項１０】
移送方向に移されるウェブ材から分離した部分を前記ウェブ材に再配置するための装置であって、
ａ）主に長手方向に延出する側縁を有する、連続しているウェブ材を供給するためのウェブ供給ユニットと、
ｂ）前記ウェブ材の少なくとも部分的に分離している部分のための分離ユニットであって、前記ウェブ材を連続しているウェブ材として維持する分離ユニットと、
ｃ）前記ウェブ材の分離された部分を前記ウェブ材と再結合するための結合ユニットと、
ｄ）前記ウェブ材における前記少なくとも部分的に分離された部分の少なくとも先頭部分を、分離された部分の経路に沿って移送するための移送ユニットと、
ｅ）前記分離ユニットから前記結合ユニットへ、第２のウェブの経路に沿って前記ウェブ材を移送するための案内ユニットと、を有し、
前記分離された部分の経路及び前記第２のウェブ経路は、異なる経路長を有する、前記装置。
【請求項１１】
下記ｍ）及びｎ）からなる群から選択される条件の少なくとも１つをさらに満足する、請求項１０に記載の装置。
ｍ）前記分離ユニット及び前記移送ユニットは、共通の要素で構成される。
ｎ）前記移送ユニット及び前記結合ユニットは、共通の要素で構成される。
【請求項１２】
下記ｆ）及びｇ）からなる群から選ばれる１つ以上の要素をさらに有する、請求項１０又は１１に記載の装置。
ｆ）前記分離された部分の配向を変更するための再配向ユニット。
ｇ）前記分離された部分及び前記ウェブ材を前記結合ユニットにおいて、又はその後に接続するための接続ユニット。
【請求項１３】
下記ｏ）及びｐ）からなる群から選ばれる条件の少なくとも１つをさらに満足する、請求項１０乃至１２の何れか１項に記載の装置。
ｏ）前記再配向ユニットは、前記移送ユニットと単一的である。
ｐ）前記接続ユニットは、前記結合ユニットと単一的である。